(57)【特許請求の範囲】
【請求項１】
ポールと、
前記ポールに取り付けられた照明機器と、
前記ポールに取り付けられた電源ボックスと、を備え、
前記電源ボックスは、
前記照明機器と配線接続され、当該電源ボックス内に固定された固定設置台と、
前記固定設置台の端子部と接触する当該蓄電池の端子部を有し、前記固定設置台に着脱自在に設置される蓄電池と、
前記蓄電池を設置可能な可搬型設置台と、を含み、
前記可搬型設置台は、
前記蓄電池の端子部と接触する前記可搬型設置台の端子部と、
前記蓄電池の端子部と接触している前記可搬型設置台の端子部から入力される直流電圧を交流電圧に変換するＤＣ−ＡＣコンバータと、
前記ＤＣ−ＡＣコンバータのＡＣ側端子に接続されるＡＣコンセントと、
を有することを特徴とする屋外照明灯。
【請求項２】
前記照明機器は、前記ポールの前記電源ボックスの取付位置より地面から高い位置に取り付けられ、
前記電源ボックス内において、前記蓄電池と前記固定設置台の組は、前記可搬型設置台より地面から高い位置に収納されることを特徴とする請求項１に記載の屋外照明灯。
【請求項３】
前記電源ボックスは、前記蓄電池と前記固定設置台の組を複数含み、
前記蓄電池と前記固定設置台の組が前記ポールと平行な方向に積み重ねられて前記電源ボックスに収納され、
前記固定設置台は、隣接する蓄電池間の仕切りとして前記電源ボックス内に固定されることを特徴とする請求項１または２に記載の屋外照明灯。
【請求項４】
前記可搬型設置台は、前記蓄電池と前記固定設置台の複数の組の列と同じ列に設置され、
前記可搬型設置台は、前記列の最も地面側、又は前記蓄電池と前記固定設置台の組の間に設置されることを特徴とする請求項３に記載の屋外照明灯。
【請求項５】
前記電源ボックスは、
自然エネルギーを電気エネルギーに変換する発電装置、または系統電源から入力される電力を前記蓄電池に充電する充電装置をさらに含み、
前記充電装置は、前記電源ボックス内において前記蓄電池、前記固定設置台、及び前記可搬型設置台より地面から高い位置に設置されることを特徴とする請求項１から４のいずれかに記載の屋外照明灯。
【請求項６】
前記電源ボックスは、前記蓄電池および前記可搬型設置台を取出可能なように開口する扉を有し、
前記充電装置は、前記扉より地面から高い位置に設置されることを特徴とする請求項５に記載の屋外照明灯。
【請求項７】
前記蓄電池は、ＵＳＢ（Universal Serial Bus）コンセントを有することを特徴とする請求項１から６のいずれかに記載の屋外照明灯。
【発明の詳細な説明】
【技術分野】
【０００１】
本発明は、街路灯、防犯灯などの屋外照明灯に関する。
【背景技術】
【０００２】
近年、太陽電池を用いたソーラー街路灯が実用化されている。ソーラー街路灯では日照時間以外に照明器具に給電するため、太陽電池で発電された電力を蓄積する蓄電池が太陽電池とセットで用いられる。洪水から蓄電池を保護する観点からは、蓄電池はポールの高い位置に取り付けられることが好ましい。例えば、ポールの先端に取り付けられた太陽電池パネルの背面にリチウムイオン電池を内蔵した一体型のソーラー街路灯が実用化されている。
【０００３】
洪水や地震などの災害時において商用電源が停電になる場合がある。また災害時に住民が体育館などの避難所に避難することがある。停電の場合、避難所で電気機器を使用するには電池を使用する必要がある。電池には容量の制限があるため、できるだけ多くの電池を使用できることが望まれる。
【先行技術文献】
【特許文献】
【０００４】
【特許文献１】特開２０１４−１５８３８３号公報
【発明の概要】
【発明が解決しようとする課題】
【０００５】
街路灯に設置された蓄電池も蓄電池には変わりないため、ポールから外して電気機器の電源として使用できる。しかしながら、太陽電池の背面に密閉されている、又は高い位置に設置された収納ボックス内に収納されている蓄電池を取り出すのは困難な作業である。また取り出せたとしても、蓄電池から配線を外す作業も専用の工具がないと困難な場合が多い。また蓄電池の出力は直流出力であり、通常の電気機器はＡＣプラグをＡＣコンセントに挿入して使用するため、ＤＣ−ＡＣコンバータがないと蓄電池を電気機器の電源として使用することが困難である。
【０００６】
本発明はこうした状況に鑑みなされたものであり、その目的は、屋外照明灯に取り付けられた蓄電池を、非常時に簡単に他の電気製品の電源として使用するための技術を提供することにある。
【課題を解決するための手段】
【０００７】
上記課題を解決するために、本発明のある態様の屋外照明灯は、ポールと、前記ポールに取り付けられた照明機器と、前記ポールに取り付けられた電源ボックスと、を備える。前記電源ボックスは、前記照明機器と配線接続され、当該電源ボックス内に固定された固定設置台と、前記固定設置台の端子部と接触する当該蓄電池の端子部を有し、前記固定設置台に着脱自在に設置される蓄電池と、前記蓄電池を設置可能な可搬型設置台と、を含む。前記可搬型設置台は、前記蓄電池の端子部と接触する前記可搬型設置台の端子部と、前記蓄電池の端子部と接触している前記可搬型設置台の端子部から入力される直流電圧を交流電圧に変換するＤＣ−ＡＣコンバータと、前記ＤＣ−ＡＣコンバータのＡＣ側端子に接続されるＡＣコンセントと、を有する。
【発明の効果】
【０００８】
本発明によれば、屋外照明灯に取り付けられた蓄電池を、非常時に簡単に他の電気製品の電源として使用することができる。
【図面の簡単な説明】
【０００９】
【図１】図１（ａ）−（ｃ）は、本発明の実施の形態に係る街路灯の構成を示す図である。
【図２】図２（ａ）−（ｄ）は、図１の電源ボックスの構成を示す図である。
【図３】図３（ａ）−（ｃ）は、図２の蓄電池の構成を示す図である。
【図４】図４（ａ）−（ｄ）は、図２の可搬型設置台の構成を示す図である。
【図５】本発明の実施の形態に係る街路灯の基本回路構成を示す図である。
【図６】図６（ａ）−（ｆ）は、本発明の実施の形態に係る電源ボックスの側面断面図である。
【図７】図６（ａ）の電源ボックスの変形例を示す図である。
【発明を実施するための形態】
【００１０】
図１（ａ）−（ｃ）は、本発明の実施の形態に係る街路灯１の構成を示す図である。図１（ａ）は正面図であり、図１（ｂ）は側面図であり、図１（ｃ）は斜視図である。本実施の形態に係る街路灯１は、太陽電池で発電された電力で駆動されるソーラー街路灯である。このソーラー街路灯は系統に接続されず、太陽電池で発電された電力単体で動作する。
【００１１】
街路灯１は太陽電池パネル３０、ＬＥＤ灯２０、電源ボックス１０を備える。太陽電池パネル３０、ＬＥＤ灯２０、電源ボックス１０はポール５に上から順に取り付けられている。太陽電池パネル３０はポール５の先端に取り付けられる。太陽電池パネル３０は太陽光をできる限り多くの時間、直角に受けることができる方向および角度で設置することが好ましい。
【００１２】
ＬＥＤ灯２０は、ポール５の電源ボックス１０の取付位置より高い位置に取り付けられる。本実施の形態では地面から約３．０ｍの位置に取り付けられる。なおＬＥＤ灯２０は照明機器の一例であり、蛍光灯、発電電球などの他の照明機器を使用してもよい。また交流駆動であっても直流駆動であってもよい。本実施の形態では交流駆動のＬＥＤ灯を使用することを想定する。
【００１３】
電源ボックス１０は縦長直方体の筐体を採用している。電源ボックス１０の長手方向がポール５の長手方向に沿うように電源ボックス１０をポール５に取り付ける。このように細長い電源ボックスを採用することにより、塀と塀の間の狭い通路など狭いスペースにも設置可能である。
【００１４】
図２（ａ）−（ｄ）は、図１の電源ボックス１０の構成を示す図である。図２（ａ）は正面図であり、図２（ｂ）は側面図であり、図２（ｃ）は斜視図１であり、図２（ｄ）は斜視図２である。電源ボックス１０は、１つ以上の蓄電池１００、１つ以上の固定設置台２００及び１つ以上の可搬型設置台３００を備える。本実施の形態では３つの蓄電池（第１蓄電池１００ａ、第２蓄電池１００ｂ、第３蓄電池１００ｃ）、３つの固定設置台（第１固定設置台２００ａ、第２固定設置台２００ｂ、第３固定設置台２００ｃ）、１つの可搬型設置台３００を備える。蓄電池１００と固定設置台２００は組をなしており、本実施の形態では３組の蓄電池１００と固定設置台２００が電源ボックス１０内に収納される。蓄電池１００と固定設置台２００の組は、可搬型設置台３００より地面から高い位置に収納される。
【００１５】
蓄電池１００と固定設置台２００の組は、ポール５と平行な方向に積み重ねられて電源ボックス１０に収納される。固定設置台２００は、隣接する蓄電池１００間の仕切りとして地面に対して水平の向きに電源ボックス１０内に固定される。可搬型設置台３００は、蓄電池１００と固定設置台２００の複数の組の列と同じ列に配置される。図２（ａ）−（ｄ）では可搬型設置台３００は当該列の最も下側（地面側）に配置される。第３固定設置台２００ｃは、第３蓄電池１００ｃと可搬型設置台３００との間の仕切りになっている。
【００１６】
電源ボックス１０内において蓄電池１００、固定設置台２００及び可搬型設置台３００より、地面から高い位置に回路収納スペース１２が設けられる。回路収納スペース１２は、蓄電池１００と固定設置台２００の複数の組の列と同じ列に設けられる。図２（ａ）−（ｄ）では当該列の最も上側（空側）に設けられる。
【００１７】
回路収納スペース１２には、太陽電池パネル３０で発電された電力を蓄電池１００に充電するための充電装置が少なくとも設置される。当該充電装置は発電電力（直流）を蓄電池１００の充電電圧（直流）に変換するＤＣ−ＤＣコンバータを含む。また本実施の形態では交流駆動のＬＥＤ灯２０を使用するため、回路収納スペース１２に、蓄電池１００の電圧（直流）をＬＥＤ灯２０の駆動電圧（交流）に変換するＤＣ−ＡＣコンバータが設けられる。なお直流駆動のＬＥＤ灯を使用する場合は、当該ＤＣ−ＡＣコンバータは設ける必要がない。
【００１８】
電源ボックス１０は扉１１を備える。図２（ａ）−（ｄ）では扉１１を右開き式としているが、左開き式、観音開き式、上開き式、又は下開き式を採用してもよい。扉１１は、開いた状態で蓄電池１００と固定設置台２００の全ての組、及び可搬型設置台３００が露出し、回路収納スペース１２が露出しない大きさで設計される。図２（ａ）−（ｄ）では回路収納スペース１２が最も上に設けられるため、扉１１の長手方向の長さは、電源ボックス１０の長手方向の長さより回路収納スペース１２の高さに相当する長さ分、短く設計される。即ち扉１１は、蓄電池１００及び可搬型設置台３００を取出可能なように開口する。上記充電装置等の回路基板は、扉１１より高い位置に設置されることになる。当該回路基板を、仕切り板を含む６面で覆い、防水処理することにより回路基板の露出を防止し、洪水に対する保護を強化できる。また蓄電池１００、固定設置台２００、可搬型設置台３００を収納するスペースも防水処理する場合、その保護等級より高い保護等級で回路収納スペース１２を防水処理する。この場合、コストを抑えつつ、システムの堅牢性を高めることができる。
【００１９】
図２（ｃ）は第１固定設置台２００ａ、第２固定設置台２００ｂ、第３固定設置台２００ｃに第１蓄電池１００ａ、第２蓄電池１００ｂ、第３蓄電池１００ｃが設置されていない状態の斜視図である。図２（ｄ）は第１固定設置台２００ａ、第２固定設置台２００ｂ、第３固定設置台２００ｃに第１蓄電池１００ａ、第２蓄電池１００ｂ、第３蓄電池１００ｃが設置された状態の斜視図である。図２（ｄ）に示すように第１蓄電池１００ａ、第２蓄電池１００ｂ、第３蓄電池１００ｃが設置された状態では、電源ボックス１０内に殆ど空きスペースがなく、電源ボックス１０の体積を極力小さくする設計を採用している。
【００２０】
蓄電池１００は固定設置台２００に着脱自在に設置される。蓄電池１００は固定設置台２００の凹部と嵌合するための凸部を有し、固定設置台２００は蓄電池１００の凸部と嵌合するための凹部を有する。蓄電池１００の凸部は、固定設置台２００の凹部に設けられた端子部２０５ａ、２０５ｂ（本実施の形態ではオス型の２ピン）と接触するための端子部１０５ａ、１０５ｂ（本実施の形態ではメス型の２ピン）を有する。固定設置台２００は回路収納スペース１２に収納される回路を介して太陽電池パネル３０及びＬＥＤ灯２０に配線接続されている。従って蓄電池１００を固定設置台２００に設置することにより、蓄電池１００と太陽電池パネル３０及びＬＥＤ灯２０とを電気的に接続することができる。
【００２１】
固定設置台２００から延び出す配線は、電源ボックス１０の背面と背面仕切り板との間のスペースを通って、回路収納スペース１２内の回路に接続される。なお背面仕切り板を設けずに電源ボックス１０内の背面または側面に配線を這わせてもよい。
【００２２】
図３（ａ）−（ｃ）は、図２の蓄電池１００の構成を示す図である。図３（ａ）は斜視図であり、図３（ｂ）は正面図であり、図３（ｃ）は底面図である。蓄電池１００は、縦長直方体形状の電池パックを採用している。この形状の電池パックは電動アシスト自転車の電池パックとしても採用されている。本実施の形態に係る街路灯１に取り付けられる蓄電池１００に、電動アシスト自転車で使用する蓄電池をそのまま転用してもよい。端子部や嵌合部の形状も統一すれば、緊急時に街路灯１の蓄電池を電動アシスト自転車の蓄電池としてそのまま使用できる。また大量生産による蓄電池のコスト削減にも寄与する。
【００２３】
蓄電池１００の天面の正面側の辺に、取っ手１０１が取り付けられている。取っ手１０１が天面の中央ではなく前方に取り付けられているため、電源ボックス１０に収納された状態から蓄電池１００を外に取り出すのが容易である。蓄電池１００の正面には残量ランプ１０２が設けられており、蓄電池１００の残量を外から確認できる。
【００２４】
蓄電池１００の底面には、固定設置台２００の凹部と嵌合するための凸部１０３が設けられている。凸部１０３の両側にはガイド突起１０４ａ、１０４ｂが形成されている。凸部１０３の先端面には端子部１０５ａ、１０５ｂが設けられる。また凸部１０３にはＵＳＢコンセント１０６が設けられる。
【００２５】
近年、スマートフォン、タブレット、携帯型音楽プレーヤ、携帯型ゲーム機などＵＳＢケーブルを使用して充電するタイプの電子機器が増えている。当該ＵＳＢケーブルの一端にはＡタイプのＵＳＢコネクタが接続されており、他端にはＢタイプのＵＳＢコネクタ（例えばＢタイプのマイクロＵＳＢコネクタ）又は当該機器専用のコネクタが接続されている。ＢタイプのＵＳＢコネクタ又は当該機器専用のコネクタは機器本体に接続される。ＡタイプのＵＳＢコネクタはＰＣ等の給電可能な機器のＵＳＢポートに接続される。またＡタイプのＵＳＢコネクタはＵＳＢ／ＡＣアダプタに接続されて、ＵＳＢ／ＡＣアダプタのＡＣプラグを介してＡＣコンセントに接続される。
【００２６】
蓄電池１００のＵＳＢコンセント１０６に、ＵＳＢケーブルのＡタイプのＵＳＢコネクタを接続することにより、スマートフォン等の電子機器を使用または充電できる。なおＵＳＢコンセント１０６は凸部１０３に限らず、蓄電池１００のどの位置に設置されてもよい。また本実施の形態では可搬型設置台３００を通じて各種の電子機器に給電できるため、必ずしも蓄電池１００にＵＳＢコンセント１０６を設ける必要はない。
【００２７】
図４（ａ）−（ｄ）は、図２の可搬型設置台３００の構成を示す図である。図４（ａ）は斜視図であり、図４（ｂ）は平面図１であり、図４（ｃ）は背面図であり、図４（ｄ）は平面図２である。可搬型設置台３００は蓄電池１００を設置可能な持ち運び容易な設置台である。第１固定設置台２００ａ、第２固定設置台２００ｂ、第３固定設置台２００ｃは電源ボックス１０内に固定され、電源ボックス１０から簡単に取り出すことができないが、可搬型設置台３００は電源ボックス１０内に固定されず、容易に取り出すことができる。
【００２８】
可搬型設置台３００は、蓄電池１００の凸部１０３と嵌合するための凹部３０３を有する。凹部３０３の両側には、蓄電池１００のガイド突起１０４ａ、１０４ｂが挿入されるガイド溝３０４ａ、３０４ｂが形成されている。また凹部３０３は、蓄電池１００の凸部１０３に設けられた端子部１０５ａ、１０５ｂと接触するための端子部３０５ａ、３０５ｂ（本実施の形態ではオス型の２ピン）を有する。
【００２９】
可搬型設置台３００の持ち運び時に天面となる面に、収納可能な取っ手３０１が取り付けられている。また当該天面に、当該天面に収納された状態の取っ手３０１を手で掴んで当該天面から引き出すための掴み穴３０９が設けられている。可搬型設置台３００の内部にはＤＣ−ＡＣコンバータが設けられる。当該ＤＣ−ＡＣコンバータは、蓄電池１００の端子部１０５ａ、１０５ｂと接触している可搬型設置台３００の端子部３０５ａ、３０５ｂから入力される直流電圧を交流電圧に変換するコンバータである。
【００３０】
可搬型設置台３００はＡＣコンセント３０７を有する。ＡＣコンセント３０７は上記ＤＣ−ＡＣコンバータのＡＣ側端子に接続される。ＡＣコンセント３０７は、可搬型設置台３００に蓄電池１００が装着された状態で底面となる面以外の面であれば、どの位置に設けられてもよい。可搬型設置台３００のＡＣコンセント３０７に電気機器または電子機器のＡＣプラグを差し込むことにより、停電時にも当該電気機器または電子機器を使用または充電できる。例えば電気ストーブのＡＣプラグを差し込んで使用することもできる。
【００３１】
可搬型設置台３００はＵＳＢコンセント３０６ａ、３０６ｂ、３０６ｃを有する。ＵＳＢコンセント３０６ａ、３０６ｂ、３０６ｃは上記ＤＣ−ＡＣコンバータを介さずに可搬型設置台３００の端子部３０５ａ、３０５ｂに直接接続される。ＵＳＢコンセント３０６ａ、３０６ｂ、３０６ｃは、蓄電池１００が装着された状態で底面となる面以外の面であれば、どの位置に設けられてもよい。またＵＳＢコンセントの数は３つに限るものでなく、任意の数を設けることができる。可搬型設置台３００のＵＳＢコンセント３０６に、ＵＳＢケーブルのＡタイプのＵＳＢコネクタを接続することにより電子機器を使用または充電できる。
【００３２】
図４（ｂ）は取っ手３０１が収納された状態の平面図であり、図４（ｄ）は取っ手３０１が外部に取り出された状態の平面図である。取っ手３０１を収納できることにより、電源ボックス１０内における可搬型設置台３００の収納スペースを小さくできる。
【００３３】
図５は、本発明の実施の形態に係る街路灯１の基本回路構成を示す図である。ＤＣ−ＤＣコンバータ４１０は、太陽電池パネル３０で発電された直流電圧を降圧して、蓄電池１００に充電可能な範囲の直流電圧に変換する。
【００３４】
第１蓄電池１００ａ、第２蓄電池１００ｂ、第３蓄電池１００ｃは並列接続され、ＤＣ−ＤＣコンバータ４１０の出力端子に接続される。本実施の形態では蓄電池１００に、リチウムイオン電池を用いることを想定する。なお鉛電池やニッケル水素電池など他の種類の電池を使用してもよい。
【００３５】
ＤＣ−ＡＣコンバータ４２０は、ＤＣ−ＤＣコンバータ４１０又は蓄電池１００から供給される直流電圧を交流電圧に変換してＬＥＤ灯２０に出力する。図５に示す回路構成は常時点灯を前提とした回路構成であるが、実際には昼間の時間帯にはＬＥＤ灯２０をオフにしている街路灯１が多い。これを実現するには、ＤＣ−ＡＣコンバータ４２０の前段にスイッチを設ければよい。当該スイッチは、タイマ制御により夜間帯（例えばＰＭ５：００〜ＡＭ６：００）にオンし、それ以外の時間帯にオフするように制御されてもよい。また明るさを検出するための光センサを設け、光量が設定値より大きい場合に上記スイッチがオフし、小さい場合にオンするように制御されてもよい。
【００３６】
図６（ａ）−（ｆ）は、本発明の実施の形態に係る電源ボックス１０の側面断面図である。以上に説明してきた電源ボックス１０の構成例は図６（ａ）の構成例に相当する。図６（ａ）の構成例では、電源ボックス１０の底面と地面との間の距離ｈを約０．５ｍに設計している。０．５ｍを超える浸水深の洪水が発生する確率は非常に低いため、通常の洪水で電源ボックス１０が浸水することはない。一方、蓄電池１００の取り出し易さという観点では、電源ボックス１０はできるだけ地面の近くに設置されていたほうがよい。従って蓄電池１００の取り出し易さと洪水対策はトレードオフの関係になる。従来は蓄電池１００を取り出して使用することを想定していなかったため、蓄電池１００は、できるだけ地面から離れた上の方に設置されていた。
【００３７】
図６（ａ）に示す例では電源ボックス１０の奥行きｘを約０．１６ｍ、縦の長さｙを約１．５５ｍに設計している。この例では電源ボックス１０の下から、可搬型設置台３００、第３固定設置台２００ｃ、第３蓄電池１００ｃ、第２固定設置台２００ｂ、第２蓄電池１００ｂ、第１固定設置台２００ａ、第１蓄電池１００ａ、ＤＣ−ＤＣコンバータ４１０、ＤＣ−ＡＣコンバータ４２０の順に配置している。可搬型設置台３００はＤＣ−ＡＣコンバータ３５０を含んでいる。
【００３８】
図６（ａ）に示す例では、浸水から保護すべき必要性が高い順に、上から部材を配置している。ＤＣ−ＤＣコンバータ４１０及びＤＣ−ＡＣコンバータ４２０が浸水により使用不能になると、蓄電池１００に充電できなくなり、ＬＥＤ灯２０を点灯できなくなる。従って最も浸水から保護すべき必要性が高い部材であるといえる。
【００３９】
蓄電池１００と固定設置台２００は組で配置される。蓄電池１００と固定設置台２００の組と、可搬型設置台３００を比較すると、可搬型設置台３００は蓄電池１００の存在を前提とした部材であり、蓄電池１００と固定設置台２００の組のほうが浸水から保護すべき必要性が高いといえる。蓄電池１００が使用不能な状態になった場合、可搬型設置台３００は意味をなさなくなる。
【００４０】
ただし、可搬型設置台３００が浸水して使用不能となると、第１蓄電池１００ａ、第２蓄電池１００ｂ、第３蓄電池１００ｃが正常であっても、ＡＣプラグをＡＣコンセントに挿入して電気製品を使用することができなくなる。従って複数の蓄電池１００の少なくとも１つの浸水リスクの増大を許容して、可搬型設置台３００の配置を上にずらすことも考えられる。
【００４１】
図７は、図６（ａ）の電源ボックス１０の変形例を示す図である。図７に示す例では電源ボックス１０の下から、第３固定設置台２００ｃ、第３蓄電池１００ｃ、第２固定設置台２００ｂ、第２蓄電池１００ｂ、可搬型設置台３００、第１固定設置台２００ａ、第１蓄電池１００ａ、ＤＣ−ＤＣコンバータ４１０、ＤＣ−ＡＣコンバータ４２０の順に配置している。即ち蓄電池１００と固定設置台２００の複数の組と、可搬型設置台３００を同じ列に並べて配置する際、蓄電池１００と固定設置台２００の１組を最も上に配置し、その下に可搬型設置台３００を配置し、その下に蓄電池１００と固定設置台２００の残りの組を配置する。この配置では、１つの蓄電池１００と可搬型設置台３００の組の浸水リスクを最も低減できる。
【００４２】
図６（ａ）の配置方法と図７の配置方法を比較すると、蓄電池１００の保護を優先する場合は前者の配置方法が好ましい。蓄電池１００と可搬型設置台３００を比較すると、前者の方が高価であるため金銭的価値を考えれば、全ての蓄電池１００を可搬型設置台３００より上に配置するとよい。一方、非常時に蓄電池１００を取り出して使用する場合の利便性を優先する場合は後者の配置方法が好ましい。
【００４３】
なお蓄電池１００にＵＳＢコンセント１０６が設けられる場合は可搬型設置台３００が存在しなくてもＵＳＢ給電が可能であるため、可搬型設置台３００の重要性が相対的に低下する。従って蓄電池１００にＵＳＢコンセント１０６が設けられる場合は図６（ａ）の配置方法を採用し、設けられない場合は図７の配置方法を採用してもよい。
【００４４】
なお図６（ａ）において可搬型設置台３００の下にも固定設置台２００を設置し、第１蓄電池１００ａ、第２蓄電池１００ｂ、第３蓄電池１００ｃ、可搬型設置台３００を自由に入れ替えできるようにしてもよい。この場合、蓄電池１００と可搬型設置台３００の形状および大きさを、できるだけ揃えておくとよい。
【００４５】
また複数の蓄電池１００の中で役割分担してもよい。例えば１つの蓄電池１００を充電専用とし、常に満充電状態を維持してバックアップ専用の蓄電池１００とする。図６（ａ）、図７に示す例では第３蓄電池１００ｃを充電専用の蓄電池とし、第１蓄電池１００ａ及び第２蓄電池１００ｂを、放電してＬＥＤ灯２０への給電も担う蓄電池とする。第３蓄電池１００ｃは３つの蓄電池１００の内、最も下に配置され、最も取り易い位置にあるためバックアップ専用の蓄電池とする。また使用頻度が高い蓄電池を上に配置することにより、電流通過が多い配線の長さを短くでき、配線ロスを低減できる。
【００４６】
図６（ａ）、図７に示す例では、蓄電池１００の天面から地面までの距離は約１．７ｍであり、一般の成人男性であれば、１番上の第１蓄電池１００ａも容易に取り出すことができる。子供でも第３蓄電池１００ｃと可搬型設置台３００であれば、容易に取り出すことができる。
【００４７】
図６（ａ）に示す例は、蓄電池１００の浸水対策、狭いスペースへの設置、非常時の蓄電池１００の取り易さのバランスをとった構成例であるが、非常時の蓄電池１００の取り易さをより重視した構成例も考えられる。図６（ｂ）は蓄電池１００を、図６（ａ）の状態から地面側に３０度傾けて配置した例である。図６（ｃ）は蓄電池１００を、図６（ａ）の状態から地面側に４５度傾けて配置した例である。図６（ｄ）は蓄電池１００を、図６（ａ）の状態から地面側に６０度傾けて配置した例である。傾きを大きくするほど、蓄電池１００が取り易くなる。ただし地面からの高さが低くなるため浸水リスクが増大する。また電源ボックス１０の奥行きが長くなるため、狭いスペースへの設置が難しくなる。
【００４８】
図６（ｅ）は第１蓄電池１００ａ、第２蓄電池１００ｂ、第３蓄電池１００ｃを水平に倒して重ねて配置した例である。図６（ｆ）は第１蓄電池１００ａ、第２蓄電池１００ｂ、第３蓄電池１００ｃを縦ではなく横に並べて配置した例である。いずれの場合も、蓄電池１００が取り易くなるが、浸水リスクが増大し、狭いスペースへの設置が難しくなる。
【００４９】
以上説明したように本実施の形態によれば電源ボックス１０内に、着脱容易な蓄電池１００と可搬型設置台３００を設けることにより、非常時に蓄電池１００を容易に取り出すことができ、他の電気製品の電源として簡単に使用することができる。蓄電池１００に取っ手１０１が付いているため、取り出しやすく持ち運びも容易である。
【００５０】
また蓄電池１００に縦長直方体形状の電池パックを採用し、当該蓄電池１００を縦に並べて収納することにより、狭いスペースにも街路灯１を設置できる。その際、上から回路基板、蓄電池１００と固定設置台２００の組、可搬型設置台３００の順で配置することにより、洪水対策と、蓄電池１００及び可搬型設置台３００の取り出し易さとのバランスを図ることができる。
【００５１】
以上、本発明を実施の形態をもとに説明した。これら実施の形態は例示であり、それらの各構成要素や各処理プロセスの組合せにいろいろな変形例が可能なこと、またそうした変形例も本発明の範囲にあることは当業者に理解されるところである。
【００５２】
上述の実施の形態では太陽電池パネル３０を発電装置として使用したが、太陽電池パネル３０の代わりに又は太陽電池パネル３０と併用して、風力発電機を設置してもよい。また発電装置の代わりに又は発電装置と併用して、系統から商用電圧を受けて点灯可能な構成であってもよい。
【００５３】
なお、実施の形態は、以下の項目によって特定されてもよい。
［項目１］
ポール５と、
前記ポール５に取り付けられた照明機器（ＬＥＤ灯２０）と、
前記ポール５に取り付けられた電源ボックス１０と、を備え、
前記電源ボックス１０は、
前記照明機器（ＬＥＤ灯２０）と配線接続され、当該電源ボックス１０内に固定された固定設置台２００と、
前記固定設置台２００の端子部２０５ａ、２０５ｂと接触する当該蓄電池１００の端子部１０５ａ、１０５ｂを有し、前記固定設置台２００に着脱自在に設置される蓄電池１００と、
前記蓄電池１００を設置可能な可搬型設置台３００と、を含み、
前記可搬型設置台３００は、
前記蓄電池１００の端子部１０５ａ、１０５ｂと接触する前記可搬型設置台３００の端子部３０５ａ、３０５ｂと、
前記蓄電池１００の端子部１０５ａ、１０５ｂと接触している前記可搬型設置台３００の端子部３０５ａ、３０５ｂから入力される直流電圧を交流電圧に変換するＤＣ−ＡＣコンバータ３５０と、
前記ＤＣ−ＡＣコンバータ３５０のＡＣ側端子に接続されるＡＣコンセント３０７と、
を有することを特徴とする屋外照明灯（街路灯１）。
これにより、非常時に蓄電池１００を容易に取り出すことができ、他の電気製品の電源として簡単に使用することができる。
［項目２］
前記照明機器（ＬＥＤ灯２０）は、前記ポール５の前記電源ボックス１０の取付位置より地面から高い位置に取り付けられ、
前記電源ボックス１０内において、前記蓄電池１００と前記固定設置台２００の組は、前記可搬型設置台３００より地面から高い位置に収納されることを特徴とする項目１に記載の屋外照明灯（街路灯１）。
これにより蓄電池１００を洪水から相対的に保護することができる。
［項目３］
前記電源ボックス１０は、前記蓄電池１００と前記固定設置台２００との組を複数含み、
前記蓄電池１００と前記固定設置台２００の組が前記ポール５と平行な方向に積み重ねられて前記電源ボックス１０に収納され、
前記固定設置台２００は、隣接する蓄電池１００間の仕切りとして前記電源ボックス１０内に固定されることを特徴とする項目１または２に記載の屋外照明灯（街路灯１）。
これにより電源ボックス１０を縦長直方体状に設計でき、狭いスペースにも照明灯を設置できるようになる。
［項目４］
前記可搬型設置台３００は、前記蓄電池１００と前記固定設置台２００の複数の組の列と同じ列に設置され、
前記可搬型設置台３００は、前記列の最も地面側、又は前記蓄電池１００と前記固定設置台２００の組の間に設置されることを特徴とする項目３に記載の屋外照明灯（街路灯１）。
これにより蓄電池１００の保護と、非常時に蓄電池１００を取り出して使用する場合の利便性のバランスを図ることができる。
［項目５］
前記電源ボックス１０は、
自然エネルギーを電気エネルギーに変換する発電装置（太陽電池パネル３０）、または系統電源から入力される電力を前記蓄電池１００に充電する充電装置（ＤＣ−ＤＣコンバータ４１０）をさらに含み、
前記充電装置（ＤＣ−ＤＣコンバータ４１０）は、前記電源ボックス１０内において前記蓄電池１００、前記固定設置台２００、及び前記可搬型設置台３００より地面から高い位置に設置されることを特徴とする項目１から４のいずれかに記載の屋外照明灯（街路灯１）。
これにより充電装置の浸水リスクを相対的に最も低減できる。
［項目６］
前記電源ボックス１０は、前記蓄電池１００および前記可搬型設置台３００を取出可能なように開口する扉１１を有し、
前記充電装置（ＤＣ−ＤＣコンバータ４１０）は、前記扉１１より地面から高い位置に設置されることを特徴とする項目５に記載の屋外照明灯。
これにより充電装置の露出を防止し、充電装置の保護を強化できる。
［項目７］
前記蓄電池１００は、ＵＳＢ（Universal Serial Bus）コンセント１０６を有することを特徴とする項目１から６のいずれかに記載の屋外照明灯（街路灯１）。
これにより可搬型設置台３００が使用不能な状態でも、蓄電池１００から電子機器にＵＳＢ給電できる。
【符号の説明】
【００５４】
１  街路灯、  ５  ポール、  １０  電源ボックス、  １１  扉、  １２  回路収納スペース、  ２０  ＬＥＤ灯、  ３０  太陽電池パネル、  １００  蓄電池、  １００ａ  第１蓄電池、  １００ｂ  第２蓄電池、  １００ｃ  第３蓄電池、  １０１  取っ手、  １０２  残量ランプ、  １０３  凸部、  １０４ａ，１０４ｂ  ガイド突起、  １０５ａ，１０５ｂ  端子部、  １０６  ＵＳＢコンセント、  ２００  固定設置台、  ２００ａ  第１固定設置台、  ２００ｂ  第２固定設置台、  ２００ｃ  第３固定設置台、  ２０５ａ，２０５ｂ  端子部、  ３００  可搬型設置台、  ３０１  取っ手、  ３０３  凹部、  ３０５ａ、３０５ｂ  端子部、  ３０４ａ，３０４ｂ  ガイド溝、  ３０６ａ，３０６ｂ，３０６ｃ  ＵＳＢコンセント、  ３０７  ＡＣコンセント、  ３０９  掴み穴、  ３５０  ＤＣ−ＡＣコンバータ、  ４１０  ＤＣ−ＤＣコンバータ、  ４２０  ＤＣ−ＡＣコンバータ。
【図１】
0006365981.tif 000002
【図２】
0006365981.tif 000003
【図３】
0006365981.tif 000004
【図４】
0006365981.tif 000005
【図５】
0006365981.tif 000006
【図６】
0006365981.tif 000007
【図７】
0006365981.tif 000008